(57)【要約】【課題】クリアファイルの一部に一体に折返し自在の折返片をもたせ、この折返片はシート片の一部を成して邪魔にならず、折り返すことにより綴込み可能な状態にも簡単に変えられるクリアファイルの提供。【解決手段】上縁１と第一側縁３に連続する開口を設けたクリアファイル１０であって、第二側縁４側に膨らむ切込みで囲まれ、ファイル綴孔９を有する折返片７を、クリアファイル１０を構成する表面シート５や裏面シート６と一体的に設け、この折返片７を、切込みで分離し折返すことにより第一側縁３の外側に突出させる。【選択図】図１
2020026128.tif 000002
【特許請求の範囲】
【請求項１】
略矩形の表面シートおよび裏面シートの上縁および第一側縁が連続した開口とされるとともに、下縁および第二側縁が閉塞し、上記連続した開口から書類を出し入れできるようにしたクリアファイルであって、
前記表面シート及び／または前記裏面シートの一部に、前記上縁、前記下縁、前記第一側縁及び前記第二側縁とは間隔をおいて形成された折返片であって、前記第二側縁側に膨らむ曲線状の切込みと当該切込みの両端を結ぶ直線状の基端部とにより囲まれるとともに少なくとも２つのファイル綴孔が開けられた折返片と、
前記折返片の前記ファイル綴孔の間を前記基端部側に膨らむ曲線状に切込んで形成された係止片とを備え、
前記折返片を前記基端部から折り返して前記係止片で係止することにより、前記折返片の前記ファイル綴孔が前記第一側縁の外側に位置するようにした、クリアファイル。
【請求項２】
請求項１に記載したクリアファイルであって、
前記折返片は略コ字形の切込みによって形成され、前記係止片は略Ｃ字形の切込みによって形成されている、クリアファイル。
【請求項３】
請求項１または２に記載したクリアファイルであって、
前記折返片が前記裏面シートに設けられている、クリアファイル。
【請求項４】
請求項１ないし３のいずれかに記載のクリアファイルであって、
前記表面シート及び前記裏面シートの前記第一側縁の一部に凹状の逃げ部を形成し、前記折返片を折り返した際に、当該逃げ部を形成した前記第一側縁が前記ファイル綴孔の周縁と重合するようにした、クリアファイル。
【発明の詳細な説明】
【技術分野】
【０００１】  本発明は、上縁と側縁に連続した開口を有するクリアファイルに関するもので、より詳しくは、リングファイルに綴じ込むことができるようにしたクリアファイルに関するものである。
【背景技術】
【０００２】  従来から、書類を挟み込んで収納できるようにしたクリアファイルとして、下記の特許文献１に示すようなものが知られている。
特許文献１に示されるクリアファイルを図５左に説明すると、この文献に記載されるクリアファイル１００は、比較的厚手に構成された一枚の矩形の樹脂製シートを二つ折りして背部分を構成し、その背部分と直交する一端縁を溶着することによって、下縁１０２および第二側縁１０４が閉塞されるとともに上縁１０１および第一側縁１０３が連続した開口とされたものである。そして、このように連続した開口とすることによって、書類の収納や取り出し動作を簡単に行えるとともに、シート自体を厚手に構成することによって、書類の腰をしっかりと維持することができる。【０００３】  また、下記の特許文献２に提案され、図５右に示すように、クリアファイル２００の裏面シート２０６を表面シート２０５より幅広とし、裏面シート２０６が表面シート２０５より突出している部分にファイル綴孔を設ければ、クリアファイルに収容している書類をクリアファイルごとリングファイルに綴じて整理することができる。【０００４】  しかしながら、このように裏面シートを表面シートより幅広としたクリアファイルは、通常のものより多くの原材料シートを必要とするばかりか、規格サイズの鞄やトレーなどに仕舞う際に、突出している部分が邪魔になってしまうという不都合が生じていた。
【先行技術文献】
【特許文献】
【０００５】
【特許文献１】特開平１０−７１７９３号公報
【特許文献２】特開２０１５−８０９０９号公報
【発明の開示】
【発明が解決しようとする課題】
【０００６】  本発明は上記従来の問題に着目してなされたものであり、クリアファイル単体での使用時には通常のクリアファイルと同様、収納する書類と略同サイズでありながら、必要な時には、リングファイルに綴込んで使用可能な形態に変形可能なクリアファイルを提供することを、その目的とする。
【課題を解決するための手段】
【０００７】  すなわち、本発明のクリアファイルは上記課題を解決するために、略矩形の表面シートおよび裏面シートの上縁および第一側縁が連続した開口とされるとともに、下縁および第二側縁が閉塞し、上記連続した開口から書類を出し入れできるようにしたクリアファイルであって、前記表面シート及び／または前記裏面シートの一部に、前記上縁、前記下縁、前記第一側縁及び前記第二側縁とは間隔をおいて形成された折返片であって、前記第二側縁側に膨らむ曲線状の切込みと当該切込みの両端を結ぶ直線状の基端部とにより囲まれるとともに少なくとも２つのファイル綴孔が開けられた折返片と、前記折返片の前記ファイル綴孔の間を前記基端部側に膨らむ曲線状に切込んで形成された係止片とを備え、前記折返片を前記基端部から折り返して前記係止片で係止することにより、前記折返片の前記ファイル綴孔が前記第一側縁の外側に位置するようにしたものである。【０００８】  このようにすれば、クリアファイル単体で使用する場合であっても、収納する書類と略同サイズで持ち運びや保管をすることができ、折返片７が邪魔にならないとともに、必要な時に折返片を折り返して係止片で固定することにより、リングファイル等に綴込んで使用することができる。【０００９】  また、請求項２の発明は、折返片は略コ字形の切込みによって形成され、係止片は略Ｃ字形の切込みによって形成されているものである。
このように構成すれば、簡単な構成で、折返片を折り返して係止片で固定することにより、リングファイル等に綴込んで使用することができる。【００１０】  さらに、請求項３の発明は、折返片が裏面シートに設けられているものである。
このように、折返片を裏面シートに配置することにより、クリアファイル単体として書類を収納する際と同じ向きのまま、リングファイル等に綴じ込むことができる。
【発明の効果】
【００１１】  本発明のクリアファイルによれば、クリアファイル単体で使用する場合であっても、収納する書類と略同サイズで持ち運びや保管をすることができ、折返片が表面シート及び／または裏面シートと面一になっていて邪魔にならないとともに、必要な時に折返片を折り返すことで、折返片のファイル綴孔の部分が突出し、リングファイル等に綴込んで使用することができる。
【発明を実施するための最良の形態】
【００１２】  本発明の実施形態におけるクリアファイルは、平均的な厚み０．２ｍｍ〜０．３ｍｍ程度に構成されたポリプロピレン（ＰＰ）などの一枚の矩形シートを二つ折りして、上縁および左右いずれか一方の側縁を連続した開口とすることで、Ａ４サイズなど規格サイズの書類を出し入れできるようにしたものであって、このクリアファイルの表面シートまたは裏面シートの一部に切り込み形成された折返片を備えて構成される。以下、本発明の実施形態について図面を参照して説明する。【００１３】  ＜第１の実施形態＞
まず、第１の実施形態におけるクリアファイルについて図１に示す。【００１４】  この実施形態は、図１に示されるように、一枚のシートから一体的に構成され、略矩形の表面シート５および裏面シート６の上縁１および第一側縁３が連続した開口とされるとともに、下縁２および第二側縁４が閉塞し、上記連続した開口から書類を出し入れできるようにしたクリアファイルであって、表面シート５の一部に、上縁１、下縁２、第一側縁３及び第二側縁４とは間隔をおいて形成された折返片７であって、第二側縁４側に膨らむ略コ字形の切込みと当該切込みの両端を結ぶ直線状の基端部とにより囲まれるとともに２つのファイル綴孔が開けられた折返片７と、折返片７のファイル綴孔９の間を基端部側に膨らむ略Ｃ字形に切込んで形成された係止片８とを備えるものである。
そして、折返片７を基端部から折り返して第一側縁３よりも突出させ係止片８で固定することにより、折返片７のファイル綴孔が前記第一側縁３の外側に位置し、クリアファイルをリングファイル等に綴じて使用することができる形態になる。【００１５】  このようにすれば、クリアファイル単体で使用する場合であっても、収納する書類と略同サイズで持ち運びや保管をすることができ、折返片７が邪魔にならないとともに、必要な時に折返片７を折り返し、リングファイル等に綴込んで使用することができる。【００１６】＜第２の実施形態＞
次に、第２の実施形態におけるクリアファイル１０を図２にしたがって示す。【００１７】  この第２の実施形態では、折返片７は、その基端部を第一側縁３及び第二側縁４と非平行に形成されるとともに、係止片８は略ｗ字形の切込みによって形成されている。
このように折返片７の基端部を第一側縁３及び第二側縁４と非平行としても、折返片７を折り返し、リングファイル等に綴込んで使用可能な形態に固定することができる。【００１８】＜第３の実施形態＞
本発明の第３の実施形態に係るクリアファイル１０を図３にしたがって説明する。【００１９】  図３に示されるクリアファイル１０は、折返片７が裏面シートに配置されているものであり、連続した開口の配置が、図１とは左右逆になっている。
このように、折返片７を裏面シートに配置しておくことにより、リングファイル等に綴じ込んだ後でも、クリアファイルの表面右側から書類を出し入れすることができるようになり、保管後の書類の出し入れがし易いものとなる。【００２０】＜第４の実施形態＞
第４の実施形態におけるクリアファイルについて図４に示す。【００２１】  この実施形態は、折返片７及び係止片８に加えて、表面シート及び裏面シートの第一側縁３の一部に凹状の逃げ部を形成し、折返片７を折り返した際に、逃げ部を形成した第一側縁３がファイル綴孔９の周縁と重合するようにしたものである。
そして、他の実施形態と同様、折返片７を基端部から折り返して第一側縁３よりも突出させ係止片８で固定することにより、折返片７のファイル綴孔が前記第一側縁３の外側に位置するようにして、リングファイル等に綴込んで使用する。【００２２】  このように第一側縁３の一部を凹状の逃げ部として、折返片７を折り返した際に、逃げ部を形成した第一側縁３がファイル綴孔９の周縁と重合するように配置しておくことにより、リングファイル等に綴込んで使用する際のファイル綴孔９の剛性感が向上し、しっかりと安定した状態に綴込んで使用することができるようになる。【００２３】  なお、本発明は上記実施形態に限定されることなく、種々の態様で実施できる。例えば、表面シートと裏面シートの両方に折返片及び係止片を設けてよいし、ファイル綴孔を３つ以上であってもよい。切込みは全切れの他、その一部または全部をハーフカット、易破断線、または、切取り予定線としてもよい。
【図面の簡単な説明】
【００２４】
【図１】本発明の第１の実施形態に係るクリアファイルを示す図である。
【図２】本発明の第２の実施形態に係るクリアファイルを示す図である。
【図３】本発明の第３の実施形態に係るクリアファイルを示す図である。
【図４】本発明の第４の実施形態に係るクリアファイルを示す図である。
【図５】従来例におけるクリアファイルを示す図である。
【符号の説明】
【００２５】１、１０１…上縁  ２、１０２…下縁  ３、１０３…第一側縁  ４、１０４…第二側縁
５、２０５…表面シート  ６、２０６…裏面シート  ７…折返片  ８…係止片
９…ファイル綴孔  １０…クリアファイル  １００、２００…従来のクリアファイル
【図１】
2020026128.tif 000003
【図２】
2020026128.tif 000004
【図３】
2020026128.tif 000005
【図４】
2020026128.tif 000006
【図５】
2020026128.tif 000007